(57)【要約】【課題】捻りを受ける回動部所で使用するのにそれぞれの電線長が適切に選定された断線発生の少ない多心ケーブルを容易に且つ安価に製造することが可能な多心ケーブルの製造方法を提供する。【解決手段】複数本の電線の両端末部分を所定のピッチで配列してフラット状にし、中間部分を１つに束ねる多心ケーブルの製造方法であって、両端末部分間に配列される複数本の電線を、電線収納溝２２が最小長さＬｓａから最大長さＬｍａで順次異ならせた整列治具２０ａを用いて整列させる。次いで、少なくとも両端末部分に位置する電線の露出面をテープ状に一体化させた後、整列治具から整列状態で電線を取出して両端末部分に電気接続用の端末を形成し、次いで、中間部分を１つに束ねるようにする。【選択図】図４
2006261136.tif 000002
【特許請求の範囲】
【請求項１】
複数本の電線の両端末部分を所定のピッチで配列してフラット状にし、中間部分を１つに束ねる多心ケーブルの製造方法であって、
前記両端末部分間に配列される前記複数本の電線を、電線収納溝が最小長さＬｓａから最大長さＬｍａで順次異ならせた整列治具を用いて整列させ、次いで、少なくとも前記両端末部分に位置する電線の露出面をテープ状に一体化させた後、前記整列治具から整列状態で電線を取出して前記両端末部分に電気接続用の端末を形成し、次いで、前記中間部分を１つに束ねることを特徴とする多心ケーブルの製造方法。
【請求項２】
前記整列治具の端末整列部における溝幅をＤａとし、前記両端末整列間の実質距離をＥａとしたとき、前記整列治具の電線収納溝が、
Ｄａ／Ｅａ＞１／６であり、（Ｌｍａ−Ｌｓａ）＞｛（Ｄａ2＋Ｅａ2）1/2−Ｅａ｝
となるように設けられていることを特徴とする請求項１に記載の多心ケーブルの製造方法。
【請求項３】
前記整列治具に単一の多心ケーブル形成用の前記電線収納溝が、縦接続で連続的に複数設けられていることを特徴とする請求項１又は２に記載の多心ケーブルの製造方法。
【発明の詳細な説明】
【技術分野】
【０００１】
本発明は、複数本の絶縁電線や同軸電線からなる多心ケーブルの製造方法に関し、特に中間部では束ねられ、両端部では複数本の電線がフラット状にされてコネクタ等が接続されているような多心ケーブルの製造方法に関する。
【背景技術】
【０００２】
近年、ノートパソコン、携帯電話、小型ビデオカメラ等が普及しているが、これら携帯形の情報通信機器の小型化、軽量化が求められている。そのため、機器本体と液晶表示部の接続や機器内の配線等に、極めて細い絶縁電線や同軸電線（シールド電線を含む）が用いられ、また、配線の容易性から、これらの多数本の電線を集合一体化させたハーネス形状のコネクタ付き多心ケーブルが用いられている。電気接続は、予めケーブル端部に所定の配列で接続した電気コネクタで行なわれ、このための電気コネクタには、例えば、プリント回路等の接続に用いるような、多数のコンタクトを列状に配列したエッジ形状のコネクタが用いられる。
【０００３】
図６は、上記の情報通信機器等で用いられているコネクタ付き多心ケーブルの一例を示す図で、図６（Ａ）はケーブルの中間部分が束ねられていない例を示し、図６（Ｂ）はケーブルの中間部分を束ねた例を示す図である。図中、１ａ，１ｂはコネクタ付き多心ケーブル、２は電線、３は電気コネクタ、４は束ね部材、５は接地接続部材を示す。
【０００４】
コネクタ付き多心ケーブル１ａは、一般に、両端に電気コネクタ３を接続するために、図６（Ａ）に示すように複数本の電線２を所定ピッチで平行一列に並べて一体化したフラットケーブル、或いは平形ケーブルと呼ばれている形態で用いられることが多い。しかし、このコネクタ付き多心ケーブル１ａは、機器内の壁面に沿わせた配線には適しているが、例えば、携帯電話、ノートパソコン、ビデオカメラ等の本体部と液晶表示部間の接続のような回動部分を通しての配線を行なう場合は、回動部分における捻回特性が悪く、ヒンジ部の形状が大きくなってしまう。また、フラットケーブルに加わるストレスが大きく断線しやすいという問題がある。
【０００５】
このため、開閉ヒンジ等の回動部分を介しての配線では、図６（Ｂ）に示すように、電気コネクタ３が接続される両端部では複数本の電線２はフラット状にされているが、中間部分で電線２を１つに束ねた状態にしたコネクタ付き多心ケーブル１ｂが用いられている。複数本の電線２を束ねる形態としては、多心ケーブルの製造段階で両端部のみをフラット化し、中間部分は後の結束のためにばらけた状態としておいたり、或いは、フラット化された状態のまま円筒状に丸めるようにして束ねられている。複数本の電線２を束ねるのに、テープ状の束ね部材４を用いたり、また、電線２に同軸電線やシールド電線が用いられる場合、コネクタ付き多心ケーブルの中間部で接地用の接地接続部材５を設けることもある。
【０００６】
図６（Ａ）の形状で製造されたコネクタ付き多心ケーブルの中間部分を束ねて、単純に図６（Ｂ）の形状のコネクタ付き多心ケーブルとすると、電線２の長さが全て同一であるので、中央に配列された電線は弛んだ状態となり、電線配列方向の両端側に配された電線は引張られた状態となって束ねられる。この結果、両端側に配された電線は、断線が生じやすくなる。このため、中央側に配される電線に対して、外側に配される電線長を長くして、弛みや引張りが生じないような形状の多心ケーブルが知られている（例えば、特許文献１、特許文献２参照）。
【特許文献１】特開昭６１−２３０２０８号公報
【特許文献２】特開２０００−２９４０４５号公報（図４とその説明）
【発明の開示】
【発明が解決しようとする課題】
【０００７】
特許文献１又は特許文献２において、コネクタ付き多心ケーブルの端末部でフラット状に配列される電線長を、中央側より外側が長くなるようにすることで、両側の電線に張力が加わるのを防止することが開示されている。しかし、外側に配される電線長をどの程度にするかまでの開示はなく、また、捻りを受けるような場合についての解明がなされていない。実際上は、図６に示すコネクタ付き多心ケーブルで、電線配列方向のケーブル幅をＤとすると、多心ケーブルの長さ方向の距離Ｅが電線配列方向のケーブル幅Ｄの６倍以上あれば、図６（Ａ）の形状で形成された多心ケーブルの中間部分を単に束ねて、図６（Ｂ）の形状として使用しても、問題ないことが確認されている。
【０００８】
しかし、多心ケーブルの長さ方向の距離Ｅが短く、Ｄ／Ｅが１／６未満であると、最小長さの電線（束ねられる中央側に配列される電線）と最大長さの電線（一番外側に配列される電線）との差が問題となる。すなわち、フラット状に配列される複数本の電線を束ねるときに、単に引張りが生じる外側の電線を長くしても、電線が長くなりすぎて折れ曲がりが生じたり、断線しやすくなる。また、回動部分に使用される場合は、捻れに対しての考慮が払われていないと、依然として断線が発生するという問題がある。
【０００９】
本発明は、上述した実情に鑑みてなされたもので、多心ケーブルの長さ方向の距離Ｅと電線配列方向のケーブル幅Ｄの関係から、捻りを受ける回動部所で使用するのにそれぞれの電線長が適切に選定された断線発生の少ない多心ケーブルを容易に且つ安価に製造することが可能な多心ケーブルの製造方法の提供を課題とする。
【課題を解決するための手段】
【００１０】
本発明による多心ケーブルの製造方法は、複数本の電線の両端末部分を所定のピッチで配列してフラット状にし、中間部分を１つに束ねる多心ケーブルの製造方法であって、両端末部分間に配列される複数本の電線を、電線収納溝が最小長さＬｓａから最大長さＬｍａで順次異ならせた整列治具を用いて整列させる。次いで、少なくとも両端末部分に位置する電線の露出面をテープ状に一体化させた後、整列治具から整列状態で電線を取出して両端末部分に電気接続用の端末を形成し、次いで、中間部分を１つに束ねるようにする。
【００１１】
なお、整列治具の端末整列部における溝幅をＤａとし、両端末整列間の実質距離をＥａとしたとき、整列治具の電線収納溝が、
Ｄａ／Ｅａ＞１／６であり、（Ｌｍａ−Ｌｓａ）＞｛（Ｄａ2＋Ｅａ2）1/2−Ｅａ｝
となるようにするのが好ましい。
また、整列治具に単一の多心ケーブル形成用の電線収納溝が、縦接続で連続的に複数設けるようにしてもよい。
【発明の効果】
【００１２】
本発明によれば、簡単な形状の整線治具を用いることで、複数本の電線の長さを順次異ならせて容易に整列させることができ、コスト増を伴うことなく、上述した多心ケーブルの製造を可能にすることができる。そして、この多心ケーブルを用いることにより、全長の長さが短いコネクタ付き多心ケーブルの中間部分を、効果的に１つに束ねることができ、開閉等の回動操作が頻繁に行われる携帯小型機器の捻りを受けるような回動部所での使用で、断線が生じることのないコネクタ付き多心ケーブルを実現することができる。
【発明を実施するための最良の形態】
【００１３】
図により、本発明の多心ケー−ブルの製造法により作製されるコネクタ付き多心ケーブルの実施形態を説明する。図１は、第１の実施形態を説明する図、図２は、同第２の実施形態を説明する図、図３はコネクタ付き多心ケーブルの詳細を説明する図である。図中、１１ａ，１１ｂはコネクタ付き多心ケーブル、１２は電線、１２ａは端末部分、１２ｂは中間部分、１３は電気コネクタ、１４は束ね部材、１５は接地接続部材を示す。
【００１４】
本発明における多心ケーブルは、例えば、図１に示すように、複数本の電線１２の両端末部分１２ａを所定のピッチで配列してフラット状にし、この端末部分１２ａに電気コネクタ１３等を接続して形成される。このコネクタ付きの多心ケーブル１１ａ，１１ｂに用いられる複数本の電線１２としては、絶縁電線、同軸電線（又はシールド電線）等の外径が比較的小径（例えば、１.０ｍｍ以下）の可撓性のよい単心線が望ましい。そして、複数本の電線１２は、電線長を最小長さＬｓから最大長さＬｍまで順次異ならせてある。なお、端末部分１２ａにおける電線配列方向におけるケーブル幅をＤとし、電気コネクタ１３の後端から露出する電線の端末部分間の長手方向の距離をＥとする。
【００１５】
図１（Ａ）に示すように、最終のコネクタ付き多心ケーブル形状とされる前のコネクタ付き多心ケーブル１１ａにおいては、最小長さＬｓとされた以外の電線１２は、余長分を有し弛みを持つ形状に形成される。電線の余長分は、中間部分１２ｂで最小長さＬｓとされた電線１２から遠のく配列位置にある電線ほど大きくなり、フラット状に配列すると側方に大きく膨らんだ形状となる。図１（Ａ）においては、最小長さＬｓの電線を配列方向の中央に配した例で、その両側に配される電線が、その余長分だけ順次膨らむ形状となる。
【００１６】
最終形状のコネクタ付き多心ケーブル１１ｂは、図１（Ｂ）に示すように、フラット状の両端末部分１２ａを、電気コネクタ１３側から中間部分１２ｂ側に向けて電線間隔を縮めて２等辺三角形状となるようにし、中間部分１２ｂを１つに束ねた形状とされる。２等辺三角形状に変換された両端末部分１２ａの距離をそれぞれＥ１及びＥ２とし、１つに束ねられた中間部分１２ｂの距離をＥ３とすると、「Ｅ１＋Ｅ２＋Ｅ３」が端末部分間の距離Ｅとなる。なお、端末部分間の距離Ｅは、コネクタ付き多心ケーブルを形成する複数本の電線の中で、最小長さＬｓとほぼ等しい値となる。最小長さＬｓの電線１２を電線配列方向の中央に位置させたとき、この電線を中心に両側の電線が束ねられるので、コネクタ付き多心ケーブルの中心軸に対称な形状となる。
【００１７】
中間部分１２ｂを束ねるには、接着テープ等の束ね部材１４を用い、また、シールド電線が用いられている場合は、必要に応じて所定部分で接地が得られるように接地接続部材１５を用いて束ねるようにしてもよい。束ねる形状は、複数本の電線１２が１つに束ねられていればよく、不特定な形状であってもよい。また、束ね部材１４は、１つで所定長さを束ねるようにしてもよく、複数に分割して複数個所で束ねるようにしてもよい。さらに、互いに束ねられた電線１２は、密に結束されていてもよいが、互いに動きが拘束されない程度にゆるく結束されていてもよい。
【００１８】
図２に示す第２の実施形態は、複数本の電線１２の両端末部分１２ａを所定のピッチで配列してフラット状にし、この端末部分１２ａに電気コネクタ１３等を接続する点、及び、複数本の電線１２の電線長を、最小長さＬｓから最大長さＬｍまで順次異ならせる点は、図１の実施形態と同じである。また、端末部分１２ａにおける電線配列方向におけるケーブル幅をＤとし、電気コネクタ１３の後端から露出する電線の端末部分間の距離をＥとする点も同じである。
【００１９】
ただ、図２（Ａ）に示すように、最終のコネクタ付き多心ケーブル形状とされる前のコネクタ付き多心ケーブル１１ａにおいては、最小長さＬｓを有する電線を配列方向の一方の端部側とし、最大長さＬｍを有する電線を反対の端部側にくるようにしている。すなわち、電線配列方向の一方の端から他方の端に向けて、電線長を最小長さＬｓから最大長さＬｍまで順次異ならせるようにしている点で、図１の例と異なる。したがって、図２（Ａ）に示すように、最終のコネクタ付き多心ケーブル形状とされる前のコネクタ付き多心ケーブル１１ａにおいては、一方の端部側に配された最小長さＬｓとされた以外の電線１２は、余長分を有し弛みを持つこととなる。この電線の余長分は、中間部分１２ｂで最小長さＬｓとされた一方の端部側にある電線から、他方の端部側にある電線ほど大きくなり、フラット状に配列すると側方の一方に大きく膨らんだ形状となる。
【００２０】
最終形状のコネクタ付き多心ケーブル１１ｂは、図２（Ｂ）に示すように、フラット状の両端末部分１２ａを電気コネクタ１３側から中間部分１２ｂ側に、且つ、電線配列方向の一方の端側に向けて電線間隔を縮めて直角三角形状となるようにして、中間部分１２ｂを１つに束ねた形状とされる。そして、図１（Ｂ）の場合と同様に、三角形状に変換される両端末部分１２ａの距離をＥ１及びＥ２とし、１つに束ねられた中間部分１２ｂの距離をＥ３とすると、「Ｅ１＋Ｅ２＋Ｅ３」が端末部分１２ａ間の距離Ｅとなる。最小長さＬｓの電線１２を電線配列方向の一方の端側に位置させているので、この電線を中心に全ての電線を束ねると、コネクタ付き多心ケーブルの中心軸に非対称な形状となる。その他、束ね部材１４や接地接続部材１５による束ねる構成は、図１と同様である。
【００２１】
次に、図３により、多心ケーブルの長さＥと配列幅Ｄの関係について説明する。図３（Ａ）は図１で説明したコネクタ付き多心ケーブルの電線配列方向の中央側で電線を束ねる場合の説明図であり、図３（Ｂ）は図２で説明したコネクタ付き多心ケーブルの電線配列方向の一方の端部側で電線を束ねる場合の説明図である。
図３において、図１及び図２で説明したように、電線配列方向におけるケーブル幅をＤ、両端末部分間における距離をＥとし、両端末部分側の変換部分の距離をＥ１，Ｅ２、束ねる部分の距離をＥ３、両端末部分間に配される電線の最小長さをＬｓ，最大長さをＬｍとする。
【００２２】
図１又は図２のコネクタ付き多心ケーブルにおいて、一般に、両端末部分間における距離Ｅが、ケーブル幅Ｄの６倍以上あるときは、１８０°以下の回転による捻りが加わるようなことがあっても、断線が生じないことが確認されている。したがって、本発明においては、携帯小型機器の回動部分で捻りを受けるような部所に使用され、断線が生じやすいとされる両端末部分間における距離Ｅが、ケーブル幅Ｄの６倍未満、すなわち、Ｄ／Ｅ＞１／６の関係にあるコネクタ付き多心ケーブルを対象とする。
【００２３】
図３（Ａ）においては、最小長さＬｓの電線は、電線配列方向の中央にあり、距離Ｅにほぼ等しい長さ「Ｅ１＋Ｅ２＋Ｅ３」である。一方、電線配列方向の一番端に配列される電線が中間部分１２ｂを束ねる際に、張力を受けずに屈曲できる長さは、両端部分１２ａの屈曲され傾斜した長さがＬｍ１とＬｍ２で、これに束ねる部分に相当する長さＥ３を加えた「Ｌｍ１＋Ｌｍ２＋Ｅ３」の長さとなる。すなわち、この電線長さが多心ケーブルの最大長さＬｍとなる。
【００２４】
ここで、最大長さＬｍと最小長さＬｓの差「Ｌｍ−Ｌｓ」は、「Ｌｍ１＋Ｌｍ２−Ｅ１−Ｅ２」となる。すなわち、電線が互いに束ねられる中間部分の距離Ｅ３を除いた両端部分１２ａの合計の電線長さで、一番端に配列される電線の長さ（最大長さＬｍとなる）が、最小長さＬｓより「Ｌｍ１＋Ｌｍ２−Ｅ１−Ｅ２」だけ長ければ、一応は中間部分１２ｂを束ねてもこれによる張力が生じないこととなる。ここで、説明を簡略にするために、中間部分１２ｂの束ねられる長さ部分Ｅ３＝０として、両端部分１２ａのみについての最大長さＬｍと最小長さＬｓの差「Ｌｍ−Ｌｓ」について考える。また、「Ｌｍ１＋Ｌｍ２」が最小となるのは、電線の束ねられる位置ＳがＬｍ１＝Ｌｍ２、すなわち、Ｅ１＝Ｅ２＝１／２Ｅの場合である。
【００２５】
この場合、「Ｌｍ−Ｌｓ」＝「（Ｅ2＋Ｄ2）1/2−Ｅ」で表すことができる。すなわち、最大長さＬｍと最小長さＬｓの差「Ｌｍ−Ｌｓ」が「（Ｅ2＋Ｄ2）1/2−Ｅ」を超える値に設定されていれば、最大長さＬｍを有する配列方向の１番端に位置する電線が、張力を受けずに中央側の最小長さＬｓに沿わせて束ねることが可能となる。
【００２６】
また、図３（Ｂ）においては、最小長さＬｓの電線は、電線配列方向の一方の１番端の電線となるが、図３（Ａ）と同じで、距離Ｅにほぼ等しい長さの「Ｅ１＋Ｅ２＋Ｅ３」となる。この最小長さＬｓを有する電線に沿わせて束ねられる他方の１番端側に配列される電線が、張力を受けずに屈曲できる長さは、両端部分１２ａの屈曲された傾斜長さがＬｍ１とＬｍ２に、これに束ねた部分に相当する長さＥ３を加えた「Ｌｍ１＋Ｌｍ２＋Ｅ３」の長さとなる。すなわち、この電線長さが多心ケーブルの最大長さＬｍとなる。
【００２７】
ここで、最大長さＬｍと最小長さＬｓの差「Ｌｍ−Ｌｓ」は、図３（Ａ）の場合と同様に「Ｌｍ１＋Ｌｍ２−Ｅ１−Ｅ２」となる。そして、電線が互いに束ねられる中間部分の距離Ｅ３を除いた両端部分１２ａの合計の電線長さで、一番端に配列される電線の長さ（最大長さＬｍとなる）が、最小の長さＬｓより「Ｌｍ１＋Ｌｍ２−Ｅ１−Ｅ２」だけ長ければ、一応は中間部分１２ｂを束ねてもこれによる張力が生じないこととなる。ここで、図３（Ａ）の場合と同様に、中間部分１２ｂの束ねられる長さ部分Ｅ３＝０とし、電線の束ねられる位置ＳがＬｍ１＝Ｌｍ２、すなわち、Ｅ１＝Ｅ２＝１／２Ｅとする。
【００２８】
この場合、「Ｌｍ−Ｌｓ」＝「（Ｅ2＋４Ｄ2）1/2−Ｅ」で表すことができる。すなわち、最大長さＬｍと最小長さＬｓの差「Ｌｍ−Ｌｓ」が「（Ｅ2＋４Ｄ2）1/2−Ｅ」を超える値に設定されていれば、最大長さＬｍを有する１番端側に位置する電線が、張力を受けずに中央側の最小長さＬｓに沿わせて束ねることが可能となる。
【００２９】
また、図３に示すように、最大長さＬｍを有する配列方向の１番端に位置する電線が、経験的には、端末部分１２ａから束ねられる中間部分に至る電線と束ねられる中間部分の軸方向との角度θが４５°未満で形成されていることが好ましい。θ＝４５°とすると、図３（Ａ）においては、Ｄ＝Ｅとすることができ、これにより、「Ｌｍ−Ｌｓ」＝「Ｄ（２1/2−１）≒０.４１Ｄ」とすることができる。また、図３（Ｂ）においては、２Ｄ＝Ｅとすることができ、これにより、「Ｌｍ−Ｌｓ」＝「２Ｄ（２1/2−１）≒０.８３Ｄ」とすることができる。
【００３０】
上述したように、各種の実施形態で最大長さＬｍと最小長さＬｓの差「Ｌｍ−Ｌｓ」を最も小さくすることができるのは、図３（Ａ）で説明した電線配列方向の中央側で電線を束ねる場合である。また、両端末部分１２ａの屈曲され傾斜した部分の長さを等しく（Ｌｍ１＝Ｌｍ２又はＥ１＝Ｅ２）したときで、このときの「Ｌｍ−Ｌｓ」は、「（Ｅ2＋Ｄ2）1/2−Ｅ」となる。したがって、「Ｌｍ−Ｌｓ」＞「（Ｅ2＋Ｄ2）1/2−Ｅ」で多心ケーブルを形成することが必要である。また、この場合、端末部分１２ａから中間部分１２ｂの軸方向との角度θを４５°未満とするなら、「Ｌｍ−Ｌｓ」＜０.４１Ｄとすることができる。
【００３１】
上述のように構成されたコネクタ付き多心ケーブルは、携帯電話、ノートパソコン、ビデオカメラ等の携帯小型機器の本体部と液晶表示部間の接続のような回動部分を通しての配線を行なう場合は、図３に示すように９０°〜１８０°程度の回転（余裕を見込むと８０°〜１９０°）による捻りを受ける。また、複数本の電線が束ねられるので、全体としてある程度の太さが生じるため、電線を屈曲した時の中心側位置がずれたりして「Ｌｍ−Ｌｓ」を計算値通りとするのは難しい。このため、ある程度の余裕を持たせて、最大長さＬｍと最小長さＬｓの差「Ｌｍ−Ｌｓ」を設定する必要がある。
【００３２】
しかし、必要以上に「Ｌｍ−Ｌｓ」を大きくすると、束ねられる中間部分での余長が大きくなりすぎて弛みが生じ、全体的に見苦しく、座屈状の折れ曲がりや断線を生じやすくなる。図３の説明で、各種の実施形態で最大長さＬｍと最小長さＬｓの差「Ｌｍ−Ｌｓ」が最大となるのは、図３（Ｂ）で説明した電線配列方向の１番端の電線を中心にして束ねる場合である。このときの「Ｌｍ−Ｌｓ」が「（Ｅ2＋４Ｄ2）1/2−Ｅ」である。また、この場合、端末部分１２ａから束ねられる中間部分に至る電線と束ねられる中間部分の軸方向との角度θを４５°未満とするなら、「Ｌｍ−Ｌｓ」＜０.８３Ｄとすることができる。そこで、本発明においては、種々検証した結果、この想定される値の３倍以下であれば、折れ曲がりや断線を抑制できることが判明した。したがって、「Ｌｍ−Ｌｓ」＜３×０.８３Ｄ≒２.５Ｄとすることが望ましい。
【００３３】
図４及び図５は、本発明の多心ケーブル製造方法で使用する整列治具の一例を説明する図で、図４は単一のケーブル用を示す図、図５は複数個のケーブル用を示す図である。図中、２０ａ，２０ｂは電線整列治具、２１は整列面、２１ａはエッジ部、２２は電線収納溝、２２ａは端末整列部、２２ｂは中間整列部、２３はカット用溝を示す。
【００３４】
図４は、図１に示した形状の多心ケーブルを製造する場合の、電線整列治具の一例で、整列治具２０ａは、平坦な整列面２１を有する矩形状のブロックで形成される。整列面２１には複数本の長さの異なる電線収納溝２２が形成される。この電線収納溝２２は、溝断面がＶ字状またはＵ字状で、電線が収納されたときに、電線が整列面２１の表面と同じになるか僅かに突出する程度の深さとなるような溝で形成される。
【００３５】
電線収納溝２２は、両端の端末整列部２２ａを、製造される多心ケーブルの端末部分の電線配列ピッチに合わせて互いに平行な溝で形成する。中間整列部２２ｂは、溝の長さが中央の１番短い直線状の最小長さＬｓａとし、１番外側の最大長さＬｍａの溝に移行するにしたがって、順次長くなるように屈曲或いは湾曲させた形状で形成する。この整列治具２０ａの整列面２１上に複数本の電線を並べ、ヘラ等を用いて電線を電線収納溝２２内に押込んで整列させる。
【００３６】
次いで、少なくとも両端の端末整列部２２ａの上から接着テープ等を貼りつけてテープ状に一体化し、電線収納溝２２に電線が収納された配列状態を維持できるように固定する。この後、整列治具２０ａのエッジ部２１ａに沿って電線の両端を切断するなどで揃え、次いで、整列治具２０ａから整列状態が維持された電線を取出す。そして、図１（Ａ）で示すように両端部分に電気コネクタ等の端末部材を接続し、図１（Ｂ）に示すように電線の中間部分を束ねて、多心ケーブルとする。
【００３７】
また、整列治具２０ａの端末整列部２２ａにおける溝幅Ｄａは、図１（Ａ）に示した両端末部分における電線配列方向のケーブル幅Ｄとほぼ等しくする。そして、電線収納溝２２の両端に電気コネクタ等への接続分としての距離ΔＥを除いた溝の実質的な距離Ｅａを、図１（Ａ）に示した両端末部分間における距離をＥと等しくする。このとき、整列治具２０ａの電線収納溝２２の構成を、
Ｄａ／Ｅａ＞１／６とし、「Ｌｍａ−Ｌｓａ」＞「（Ｅａ2＋Ｄａ2）1/2−Ｅａ」、
となるようにする。
【００３８】
図５に示す整列治具２０ｂは、図４の整列治具２０ａを縦接続で複数設けたもので、複数個の多心ケーブルを同時に製造することができるようにしたものである。整列治具２０ｂの整列面２１上には、図４で示したのと同様な多心ケーブルの端末部分のための端末整列部２２ａと、束ねられる中間部分のための中間整列部２２ｂを交互に形成し、複数個の多心ケーブル用の電線整列を同時に行なうことができる。なお、端末整列部２２ａ部分に、カット用溝２３等を設けておくことにより、電線収納溝２２に電線を収納し接着テープ等でテープ状に一体化した後、単一品に分割するのを容易にすることができる。
【００３９】
上述した整列治具を用いることにより、コネクタ付きの多心ケーブルの製造に際して、両端末部分間の電線を最小長さから最大長さまで順次異なる長さで自動的に設定でき、作業者のスキルに依存することなく、均一の品質で安価に製造することができる。なお、図４及び図５では、図１に示した形状のコネクタ付き多心ケーブルの製造例で示したが、図２に示した形状のコネクタ付き多心ケーブルの製造に対しても、同様な整列治具を用いることにより、均一の品質で安価に製造することができる。
【図面の簡単な説明】
【００４０】
【図１】本発明におけるコネクタ付き多心ケーブルの第１の実施形態の概略を説明する図である。
【図２】本発明におけるコネクタ付き多心ケーブルの第２の実施形態の概略を説明する図である。
【図３】本発明におけるコネクタ付き多心ケーブルの詳細を説明する図である。
【図４】本発明の多心ケーブルの製造方法に用いる整列治具の一例を説明する図である。
【図５】本発明の多心ケーブルの製造方法に用いる整列治具の他の例を説明する図である。
【図６】従来技術を説明する図である。
【符号の説明】
【００４１】
１１ａ，１１ｂ…コネクタ付き多心ケーブル、１２…電線、１２ａ…端末部分、１２ｂ…中間部分、１３…電気コネクタ、１４…束ね部材、１５…接地接続部材、２０ａ，２０ｂ…電線整列治具、２１…整列面、２１ａ…エッジ部、２２…電線収納溝、２２ａ…端末整列部、２２ｂ…中間整列部、２３…カット用溝。
【図１】
2006261136.tif 000003
【図２】
2006261136.tif 000004
【図３】
2006261136.tif 000005
【図４】
2006261136.tif 000006
【図５】
2006261136.tif 000007
【図６】
2006261136.tif 000008